(57)【特許請求の範囲】
【請求項１】
テープである製造用テープの一方の面に、粘着剤層をその両面に備えるテープである粘着テープの一方の面を当接させたものである貼付けテープを作る過程と、
送られる前記貼付けテープに対して前記粘着テープの側からハーフカットを連続して行うことで、前記粘着テープを前記製造用テープの上で適宜の長さの多数の粘着テープ片にする過程と、
ハーフカットが行われた前記貼付けテープと同期して送られるテープである剥離テープの一方の面を、前記製造用テープの上の前記粘着テープ片に適宜の長さ範囲で当接させることで、多数の前記粘着テープ片を前記剥離テープの一方の面に移すことにより、剥離テープの一方の面に適宜の長さの粘着テープ片が多数、所定の面に対して転写可能に貼付けられたハーフカット両面テープを得る過程と、
を含むハーフカット両面テープの製造方法。
【請求項２】
前記剥離テープを、前記製造用テープよりも薄いものとする、
請求項１記載のハーフカット両面テープの製造方法。
【請求項３】
前記剥離テープを、その厚さが２５μｍより薄いものとする、
請求項１又は２記載のハーフカット両面テープの製造方法。
【請求項４】
前記ハーフカットは、前記貼付けテープの幅方向で行う、
請求項１記載のハーフカット両面テープの製造方法。
【請求項５】
前記粘着テープ片は、その長さが前記貼付けテープの幅よりも短い矩形である、
請求項４記載のハーフカット両面テープの製造方法。
【請求項６】
前記貼付けテープを巻いたロールから、前記貼付けテープを送る、
請求項１記載のハーフカット両面テープの製造方法。
【請求項７】
前記剥離テープを巻いたロールから、前記剥離テープを送る、
請求項１記載のハーフカット両面テープの製造方法。
【発明の詳細な説明】
【技術分野】
【０００１】
本発明は、両面テープに関する。
【背景技術】
【０００２】
両面テープは、一般に、基材としてのテープの両面に粘着剤層を形成してなる。最も汎用されている両面テープは、上述の粘着剤層の一方をテープ状の剥離テープの裏面で覆った両面テープを、粘着剤層の他方が剥離テープの表面に接するようにして巻き付けて販売されている。
ユーザは、剥離テープごと一定の長さだけ引き出した両面テープを適当な長さでカットし、剥離テープで覆われていない側の粘着剤層を、貼付けを行いたい対象物の所望の部位に貼付け、次いで剥離テープを剥離して現れた粘着剤層に、対象物との貼付けを行うべき他の対象物を貼付けるという方法で、両面テープを用いる。
【０００３】
他方、粘着剤層をその両面に備えるテープを、その幅方向に多数に切断して短冊様とし、剥離テープに貼付けられた短冊様の両面テープ（本願では、このような両面テープを、「ハーフカット両面テープ」と称する。）も存在している。このタイプの両面テープは一般的に、テープ糊、或いは転写糊と呼ばれる糊の転写に用いられる転写具と同様の手持ちタイプの転写具に内蔵して用いられる。剥離テープごと転写具の転写部に供給された短冊様の両面テープは、隣接するようにして次々と対象物の対象面に転写され、その剥離テープで覆われていない側の粘着剤層が対象物の所望の部位に貼付けられていく。このタイプの両面テープでは、対象物への両面テープの貼付けと、剥離テープの剥離が同時に行われるので、既に顕になっている剥離テープに当接していた粘着剤層には、対象物との貼付けを行うべき他の対象物をそのまま貼付けられる。
ハーフカット両面テープは一般に、転写具の中で剥離テープを回収するようになっているので、ゴミとなる剥離テープが出ない、対象物の所望の面に貼付けるにあたり予め切断する必要がないし、切断する際にその長さを気にする必要がない、というメリットがあり、今のところ普及の程度は大きくないが今後大きな成長が見込まれる。
【発明の概要】
【発明が解決しようとする課題】
【０００４】
しかしながら、ハーフカット両面テープにも改良すべき点がある。それはその製造にかかるコストが大きくなりやすい、という点である。
ハーフカット両面テープは一般に、剥離テープに対して粘着剤層をその両面に備える一連のテープを貼付けたものを作成した後に、ハーフカットと通称される技術を用いて、剥離テープを、少なくとも完全には切断しないようにしながら、粘着剤層をその両面に備えるテープをその幅方向で、細く切断していくことにより製造される。
しかしながら、ハーフカットは密着して重ねられた共に薄い剥離テープと粘着剤層をその両面に備える一連のテープとのうちの粘着剤層をその両面に備えるテープのみを切断するものであるから、切断のために移動させる刃の制御に精密さが求められるため、一般に難易度が高くコストが上がり易い。特に、剥離テープに許容される以上の切込みが入ってしまった場合には、そのハーフカット両面テープは不良品となり、歩留まり面からもコストの向上を招くし、そのようなハーフカット両面テープが出荷されればユーザからの苦情の対象ともなりかねない。
また、移動させる刃の制御を精密にするにも限界があるため、剥離テープを薄くすることにも限界がある。現在の技術では、歩留まり面も考慮して商業ベースに乗せるには、その素材がＰＥＴ（ｐｏｌｙｅｔｈｙｌｅｎｅ  ｔｅｒｅｐｈｔｈａｌａｔｅ／ポリエチレンテレフタラート）である場合の剥離テープの厚さは２５μｍが下限である。剥離テープを薄くすれば、例えば、ハーフカット両面テープを巻回したロールの状態でユーザに提供すると仮定した場合、同じ長さのハーフカット両面テープをユーザに提供するのであればロールを小さくすることができることにより転写具を小さくすることができるし、同じ大きさのロールをユーザに提供するのであればハーフカット両面テープの長さを長くすることができるからそのメリットは大きい。
【０００５】
本願発明は、コスト的な負担を抑えつつハーフカット両面テープの不良品発生率を下げることができ、また必要とあらば剥離テープを薄くすることもできる、ハーフカット両面テープの製造方法を提供することをその主な目的とする。
【課題を解決するための手段】
【０００６】
上述の課題を解決するため、本願発明者は以下の発明を提案する。
本願発明者が提案するのは、テープである製造用テープの一方の面に、粘着剤層をその両面に備えるテープである粘着テープの一方の面を当接させたものである貼付けテープを作る過程と、送られる前記貼付けテープに対して前記粘着テープの側からハーフカットを連続して行うことで、前記粘着テープを前記製造用テープの上で適宜の長さの多数の粘着テープ片にする過程と、ハーフカットが行われた前記貼付けテープと同期して送られるテープである剥離テープの一方の面を、前記製造用テープの上の前記粘着テープ片に適宜の長さ範囲で当接させることで、多数の前記粘着テープ片を前記剥離テープの一方の面に移すことにより、剥離テープの一方の面に適宜の長さの粘着テープ片が多数、所定の面に対して転写可能に貼付けられたハーフカット両面テープを得る過程と、を含むハーフカット両面テープの製造方法である。
本願発明のハーフカット両面テープの製造方法（以下、単に製造方法と言う場合がある。）では、ハーフカットの処理を、製造用テープを含む貼付けテープに対して行う。そして、ハーフカットにより作られた多数の粘着テープ片を剥離テープの一方の面に移すことにより最終的なハーフカット両面テープを得る。
したがって、このハーフカット両面テープの製造方法では、最終的なハーフカット両面テープという製品の一部となる剥離テープに対して、ハーフカットの処理を行わないので、剥離テープに対して切込みが入ることにより剥離テープに不良がでるおそれはまずない。他方、ハーフカット処理を行うときに用いる製造用テープは、製造の工程でのみ用いるものであるから、剥離テープに求められる仕様と同様の仕様を必ずしも求められない。例えば、製造用テープは剥離テープよりも厚くすることもできる。そうすることにより、貼付けテープに対して行うハーフカットの処理にそれ程高い精度が求められないようにすることもできるので、コストの向上も抑えることができる。
【０００７】
上述したように、本願のハーフカット両面テープの製造方法では、剥離テープに対してハーフカットの処理を行わないから、剥離テープにハーフカットの処理に基づく切り込みが入るおそれはない。したがって、本願のハーフカット両面テープの製造方法によれば、剥離テープを薄くすることができる。
例えば、前記剥離テープを、前記製造用テープよりも薄いものとすることができる。これにより、ハーフカットの処理が行われる貼付けテープに含まれる製造用テープをハーフカットの処理が困難でない程度に厚くし、他方剥離テープをユーザにメリットを提供できる程度に薄くすることが容易になる。
また、本願発明では、前記剥離テープを、その厚さが２５μｍよりも薄いものとすることができる。上述したように、ハーフカットの処理を剥離テープに対して行う従来のハーフカット両面テープの製造方法では、剥離テープの厚さは２５μｍが下限であった。本願の製造方法によれば、剥離テープの厚さを２５μｍよりも薄くすることができる。本願の製造方法であれば、剥離テープの厚さは２０μｍよりも薄くすることができ、また例えば従来の剥離テープの厚さの約半分の１２μｍ程度とすることもできる。これらの剥離テープの厚さは、剥離テープの素材がＰＥＴである場合でも同様である。
【０００８】
本願発明は、送られる前記貼付けテープに対して前記粘着テープの側からハーフカットを連続して行うことで、前記粘着テープを前記製造用テープの上で適宜の長さの多数の粘着テープ片にする過程を備える。粘着テープ片の長さ或いは形状は、ハーフカット両面テープの使用時において、剥離テープの一方の面に多数貼付けられた粘着テープ片の所定の面への転写のし易さと、ハーフカット両面テープのハーフカットの処理のし易さと、を考慮して適当に決定すれば良い。粘着テープ片の長さ、或いは形状は、すべての粘着テープ片で同じである必要は必ずしも無い。
上記過程におけるハーフカットは、例えば、貼付けテープの幅方向に対して斜めの線や、曲線で行っても良いが、貼付けテープの幅方向で行っても良い。
貼付けテープの幅方向でハーフカットを行えば、粘着テープ片は矩形となる。前記粘着テープ片は、その長さが前記貼付けテープの幅よりも短い矩形であっても構わない。また粘着テープ片の長さは、例えば、３ｍｍ以下、例えば１ｍｍ程度とするのが、粘着テープ片の所定の面への転写のし易さからは好ましい。
【０００９】
貼付けテープを送るには、例えば、前記貼付けテープを巻いたロールから、前記貼付けテープを送っても良い。剥離テープを送るには、前記剥離テープを巻いたロールから、前記剥離テープを送っても良い。
【００１０】
本願発明者は、また、以下のハーフカット両面テープをも提案する。
そのハーフカット両面テープの一例は、剥離テープの一方の面に適宜の長さの粘着剤層をその両面に備えるテープである粘着テープ片が多数、所定の面に対して転写可能に貼付けられたハーフカット両面テープであって、前記剥離テープは、その厚さが２５μｍより薄いものである。
剥離テープがこのように薄いハーフカット両面テープは従来存在しない。例えば、ハーフカット両面テープを巻回したロールの状態でユーザに提供すると仮定した場合、同じ長さのハーフカット両面テープをユーザに提供するのであればロールを小さくすることができるし、同じ大きさのロールをユーザに提供するのであればハーフカット両面テープの長さを長くすることができる。
また、本願発明者は、ハーフカット両面テープ転写具をも提案する。
そのハーフカット両面テープ転写具の一例は、剥離テープの一方の面に適宜の長さの粘着剤層をその両面に備えるテープである粘着テープ片が多数、所定の面に対して転写可能に貼付けられたハーフカット両面テープを巻いた第１リールと、前記第１リールから送られたハーフカット両面テープの前記粘着テープ片を、所定の面に対して転写する転写部と、前記転写部から送られたハーフカット両面テープを巻き取る第２リールと、前記第１リールと前記第２リールとを収納するとともに、前記転写部を露出させて備える、手持ち可能なケースと、を有するハーフカット両面テープ転写具であって、前記剥離テープは、その厚さが２５μｍより薄い、ハーフカット両面テープ転写具である。
剥離テープがこのように薄いハーフカット両面テープを含むハーフカット両面テープ転写具は従来存在しない。例えば、第１リールにある長さのハーフカット両面テープを巻き付けるとすれば、第１リールに巻き付けられたロール状態のハーフカット両面テープの径を小さくすることができるから、ハーフカット両面テープ転写具を小さくすることができるし、ハーフカット両面テープ転写具の大きさが同じであればハーフカット両面テープの長さを長くすることができる。
【図面の簡単な説明】
【００１１】
【図１】本願の一実施形態におけるハーフカット両面テープの製造方法を概念的に説明するための側面図。
【図２】図１におけるダイカットロールの周辺を拡大して示す側面図。
【図３】図１における貼付けテープと剥離テープとが当接している部分を拡大して示す側面図。
【図４】本願の一実施形態におけるハーフカット両面テープの製造方法によって製造されたハーフカット両面テープを応用したハーフカット両面テープ転写具の構成を概略的に示す側面図。
【図５】図４に示したハーフカット両面テープ転写具の使用状態を概略的に示す側面図。
【図６】図４に示したハーフカット両面テープ転写具によって対象面に転写された粘着テープ片の（Ａ）平面図と、（Ｂ）側面図。
【発明を実施するための形態】
【００１２】
以下、図面を参照しつつ、本発明の好ましい一実施形態を説明する。
【００１３】
まず、本願におけるハーフカット両面テープの製造方法の実施形態から、説明を行う。
【００１４】
本願におけるハーフカット両面テープの製造には、図１に示したように、２組のテープが用いられる。
その一方が、貼付けテープ１００であり、他方が、剥離テープ２００である。
貼付けテープ１００は、最終製品と同じ幅の細いテープとされていても構わないが、この実施形態では最終製品よりもかなり幅広のテープとされている。それは、下記のようにして、ハーフカット両面テープ（より正確に言えばハーフカット両面テープの原反）を製造した後に、その原反を細く切断して最終製品となるハーフカット両面テープを製造するからである。
貼りつけテープ１００の幅は、これには限られないが、例えば、２００〜４００ｍｍである。
貼付けテープ１００は、第１送りリール３１０に巻き付けられた状態とされており、第１巻取りリール３２０に巻き取られる。第１送りリール３１０と第１巻取りリール３２０は同期させられた状態で、ともに図１に矢視された方向に回転する。貼付けテープ１００は、第１送りリール３１０から第１巻取りリール３２０に向けて送られる。この実施形態では、第１送りリール３１０から第１巻取りリール３２０に向けて、直線状に貼付けテープ１００を搬送しているが、これは必ずしもこの限りではない。貼付けテープ１００は、第１送りリール３１０から第１巻取りリール３２０に向けて弛みが少ない状態で送られるのが良い。そのために、或いは、貼付けテープ１００の進行方向を変えるために、図示を省略の能動的に或いは受動的に回転するローラを貼付けテープ１００に当接させた状態で適宜配置するなど、公知、周知技術を適用することは当然に可能である。また、図１に示したように、送られる貼付けテープ１００の適宜の部分の下に、貼付けテープ１００を下方から支持しつつ送るローラであるあるアンビロール３３０が設けられることもありうる。この実施形態では、アンビロール３３０の上方に、貼付けテープ１００に対してハーフカットの処理を行うダイカットロール３４０が設けられている。
剥離テープ２００は、貼付けテープ１００よりも若干その幅が広くされている。これは、後述するように貼付けテープ１００から剥離テープ２００に移し替えられる粘着テープ片を、剥離テープ２００が確実に受取れるようにするためである。剥離テープ２００の幅は、これには限られないが、例えば、２１０〜４１０ｍｍである。剥離テープ２００の素材は、樹脂であり、これには限られないが、例えば、ＰＥＴである。剥離テープ２００はある程度の靭やかさを得られる程度に薄くされる。この実施形態の剥離テープ２００は、これには限られないが、その厚さが、後述する製造用テープよりも薄い。剥離テープ２００は、これには限られないが、その厚さが２５μｍよりも薄くされており、例えば、その厚さは２０μｍ以下とされる。剥離テープ２００の厚さが小さければ小さい程後述するこの発明の効果は大きくなるが、剥離テープ２００の厚さは例えば６μｍ程度まで薄くすることも可能である。剥離テープ２００の両表面は、粘着テープ（後述する。）から作られた粘着テープ片（後述する。）の粘着剤層（後述する。）と貼付けられるが、貼付けられた粘着材層から比較的容易に剥がれるようになっている。それが可能なように、剥離テープ２００の両表面には、公知のシリコン処理が施されている。
剥離テープ２００は、第２送りリール４１０に巻き付けられた状態とされており、第２巻取りリール４２０に巻き取られる。第２送りリール４１０と第２巻取りリール４２０は同期させられた状態で、ともに図１に矢視された方向に回転する。剥離テープ２００は、第２送りリール４１０から第２巻取りリール４２０に向けて送られる。送られる剥離テープ２００は、また、その途中においてその下面を、ダイカットロール３４０を通過した貼付けテープ１００の上側面と当接させられるようになっている。貼付けテープ１００と、剥離テープ２００は、少なくともそれらが互いに当接する部分においては、同じ速さで送られるようになっている。また、この限りではないがこの実施形態では、剥離テープ２００は、図１に示したように、その進行方向を途中で変更する。剥離テープ２００は、第２送りリール４１０から第２巻取りリール４２０に向けて弛みが少ない状態で送られるのが良い。そのために、或いは、剥離テープ２００の進行方向を変えるために、図示を省略の能動的に或いは受動的に回転するローラを剥離テープ２００に当接させた状態で適宜配置するなど、公知、周知技術を適用することは当然に可能である。
【００１５】
貼付けテープ１００の構成について説明する。貼付けテープ１００は、図２に示したように、構成されている。貼付けテープ１００は、図２中の左側から右側に向かって送られ、ダイカットロール３４０でハーフカットの処理が施される。
ダイカットロール３４０でハーフカットの処理が施される前の部分であるダイカットロール３４０の左側の部分は、貼付けテープ１００は、第１送りリール３１０に巻き取られているままの状態を保っている。
貼付けテープ１００は、テープである製造用テープ１１０の一方の面（図２における上側の面）に、粘着テープ１２０を貼付けたものとなっている。粘着テープ１２０は、その中心にテープである基材テープ１２１を備えており、且つその基材テープ１２１は、粘着剤層１２２にてその両面を覆われている。
製造用テープ１１０は、これには限られないが樹脂製であり、この実施形態では、必ずしもこの限りではないが、ＰＥＴ製である。製造用テープ１１０としては、例えば、両面をシリコン加工されたグラシン紙や、両面をポリエチレンでラミネートされた紙などであることもありうる。製造テープ１１０はある程度の靭やかさを持つようにされており、また、その厚さは、後のハーフカット処理を行うのが困難でない程度に厚く構成されている。これには限られないが、製造用テープ１１０の厚さは、２５μｍ〜１２０μｍの範囲とされており、具体的には、この実施形態における製造用テープ１１０の厚さはおよそ６０μｍである。製造用テープ１１０の両表面は、粘着テープ１２０の粘着剤層１２２と貼付けられるが、貼付けられた粘着テープ１２０の粘着剤層１２２から比較的容易に剥がれるようになっている。それが可能なように、製造用テープ１１０の両表面には、公知のシリコン処理が施されている。
粘着テープ１２０は、上述のように基材テープ１２１と、その両面を覆う２つの粘着剤層１２２とを備えている。基材テープ１２１は、これには限られないが紙製であり、この実施形態では、必ずしもこの限りではないが、薄葉紙製である。基材テープ１２１はある程度の靭やかさを持つようにされている。また、その厚さは、これには限られないが、５μｍ〜７５μｍの範囲とされており、具体的には、この実施形態における基材テープ１２１の厚さはおよそ３０μｍである。粘着剤層１２２は、粘着剤にてできている。粘着剤層１２２を構成する粘着剤は、公知或いは周知のもので良い。粘着剤層１２２の厚さはこれには限られないが、１０μｍ〜３０μｍの範囲とされており、具体的には、この実施形態における粘着剤層１２２の厚さはおよそ２０μｍである。なお、２つの粘着剤層１２２は、その素材や厚さが互いに異なるものであっても構わないが、この実施形態では、２つの粘着剤層１２２は同じものとされている。２つの粘着剤層１２２が異なるものである場合の例としては、両粘着剤層１２２の粘着性を変えることにより、弱粘着剤層１２２に貼付けた物を再剥離し易くするという場合がある。
【００１６】
上述したように、貼付けテープ１００は、第１送りリール３１０に巻き付けられた状態とされており、第１送りリール３１０から巻解かれ、図１における左側から右側へ進行し、第１巻取りリール３２０に巻き取られる。
剥離テープ２００は、第２送りリール４１０に巻き付けられた状態とされており、第２送りリール４１０から巻解かれ、図１における左側から右側へ進行し、第２巻取りリール４２０に巻き取られる。
その過程において、図２に示したようにして、貼付けテープ１００にはハーフカットの処理が施される。
具体的には、ダイカットロール３４０が貼付けテープ１００に対してハーフカットの処理を施す。ダイカットロール３４０は、例えば円筒形状とされた本体部３４１と、本体部３４１からその周辺に放射状に延びる刃部３４２とを備えている。本体部３４１はその軸周りに、図２で矢視した方向に適宜の速さで回転可能となっている。刃部３４２は、その本体部３４１の回転に伴って回転し、第１送りリール３１０から送られるアンビロール３３０に下から支えられた貼付けテープ１００のうち、製造用テープ１１０を切断することなく、粘着テープ１２０のみを切断するようになっている。もっとも、まったく製造用テープ１１０を切断せずに粘着テープ１２０のみを切断するのは非常に困難でありそれを狙いすぎると粘着テープ１２０の切断が不完全になるおそれもあるので、多少（製造テープ１１０の厚さの通常は２０％程度）、刃部３４２が製造用テープ１１０に食い込むようにアンビロール３３０及びダイカットロール３４０は調整されているというのが通常である。製造用テープ１１０が第１巻取りリール３２０に巻き取られる前に完全に切れるようなことがなければ、ハーフカット両面テープの製造に大きな問題は生じない。上述のように製造用テープ１１０は、ハーフカット処理を行うに困難がない程度に厚くすることができるから、かかるハーフカット処理において、製造用テープ１１０に致命的なダメージが生じる可能性は殆ど無い。
この実施形態では、刃部３４２は、貼付けテープ１００の幅方向、即ち貼付けテープ１００の長さ方向に垂直な方向で、粘着テープ１２０を切断する。切断された粘着テープ１２０のそれぞれは、粘着テープ片１２０Ｘである。各粘着テープ片１２０Ｘは、その長さ（貼付けテープ１００の長さ方向の長さ）が、その幅（貼付けテープ１００の幅）よりも短い矩形となる。
【００１７】
ハーフカットの処理が施された貼付けテープ１００は、ダイカットロール３４０を超えて、図１の右側にそのまま進行する。
適当なところまで貼付けテープ１００が進むと、その粘着テープ片１２０Ｘが付着している側の面に、貼付けテープ１００と同じ向き、同じ速さで進行する剥離テープ２００が、幅方向について貼付けテープ１００と位置合わせされた状態で、当接する（図１、図３）。
そして、剥離テープ２００は、図３の右側部分に示したように、進行しながら、貼付けテープ１００から離れていく。そうすると、製造用テープ１１０の上に載っていた粘着テープ片１２０Ｘが次々と、剥離テープ２００の図３における下側の面に付着し、剥離テープ２００に移っていく。なお、粘着テープ片１２０Ｘが、製造用テープ１１０から剥離テープ２００に移って行くには、粘着テープ片１２０Ｘの製造用テープ１１０に対する粘着力よりも、粘着テープ片１２０Ｘの剥離テープ２００に対する粘着力の方が大きい必要がある。製造用テープ１１０と剥離テープ２００の粘着テープ片１２０Ｘに付着される側の表面は、そのような条件が満たされるように加工されている。また、粘着テープ片１２０Ｘが製造用テープ１１０から剥離テープ２００に確実に移るように、貼付けテープ１００と剥離テープ２００が重なっている部分では、両者に対して互いに押し付けるような力を加えることも可能である。
【００１８】
もはや製造用テープ１１０のみとなった貼付けテープ１００は、第１巻取りリール３２０に巻き取られる。
他方、多数の粘着テープ片１２０Ｘがその一方の面に付着した剥離テープ２００は、ハーフカット両面テープとして、第２巻取りリール４２０に巻き取られる。
これにて、ハーフカット両面テープの製造が終了する。
なお、正確にはここで得られたハーフカット両面テープは、これも一応最終製品とはなりうるが、この実施形態では最終製品の原反である。上述したようにこのハーフカット両面テープは、その幅を１ｃｍ程度に細く切断することにより、以下のハーフカット両面テープ転写具で使用できる最終製品となる。
【００１９】
次いで、かかるハーフカット両面テープを応用したハーフカット両面テープ転写具（以下、単に「転写具」という。）について説明する。
この転写具は、修正テープ、糊、両面テープなどの転写具として公知或いは周知の転写具の構成を基本的に踏襲している。
この転写具は、ケース５００を備えている。ケース５００は手持ち可能である。ケース５００は、この実施形態では、図４の奥行き方向に扁平である。ケース５００は樹脂製であり、少なくともその一部が透明であることが多い。ケース５００の少なくとも一部を透明にするのは、後述するハーフカット両面テープの残量をユーザが確認できるようにするためである。
ケース５００の内部には、それらのいずれもが軸周りに回転可能とされた第１リール５１０と第２リール５２０が収納されている。第１リール５１０には、少なくとも転写具の使用開始前の状態では、ハーフカット両面テープ６００が巻付けられている。ハーフカット両面テープ６００は、上述の製造方法で製造されたものであり、その剥離テープの厚さは２５μｍより薄い。ハーフカット両面テープ６００は、その粘着テープ片の多数付着した面が外側を向くようにして、第１リール５１０に巻付けられている。
第２リール５２０は、ハーフカット両面テープ６００を巻き取るものである。なお、図示を省略するが、第１リール５１０と第２リール５２０は、公知のギア機構によって接続され、第１リール５１０が回転すると、第２リール５２０が第１リール５１０と同じ方向に回転するようになっている。
ケース５００には開口５３０があり、その開口５３０の外部には、適当な方法でケース５００に取付けられた円筒形状の転写ローラ５４０が配置されている。転写ローラ５４０はその軸周りに回転可能である。転写ローラ５４０には、第１リール５１０から第２リール５２０へと向かうハーフカット両面テープ６００が掛け回されている。
【００２０】
かかる転写具を使用するにはユーザは、ケース５００を手で持って傾斜させ、図５に示したように転写ローラ５４０を、ハーフカット両面テープ６００を転写したい所定の面である対象面Ｓに、ハーフカット両面テープ６００越しに押し付け、そして図５中で矢視した方向に動かす。
そうすると、転写ローラ５４０は、回転しながらハーフカット両面テープ６００を対象面Ｓに対して押し付ける。このとき、ハーフカット両面テープ６００は、転写ローラ５４０の回転により、第１リール５１０から第２リール５２０に向かう方向で移動する。その過程で、ハーフカット両面テープ６００の外側に付着していた粘着テープ片は、転写ローラ５４０からの押圧力によって、転写ローラ５４０の軌跡を追うようにして対象面Ｓに転写される。
対象面Ｓへ転写された粘着テープ片１２０Ｘの平面図（Ａ）と側面図（Ｂ）を図６に示す。この例では、粘着テープ片１２０Ｘは、平面視した場合に直線状となっているが、ケース５００の移動のさせかたにより、粘着テープ片１２０Ｘが弧を描くようにすることも可能である。
第１リール５１０から第２リール５２０に向かうハーフカット両面テープ６００は弛まず一定のテンションがかかっている。したがって、ハーフカット両面テープ６００が転写ローラ５４０の部分で移動すると、第１リール５１０は、第１リール５１０と第２リール５２０の間にあるハーフカット両面テープ６００により引っ張られて、回転しながらハーフカット両面テープ６００を巻解く。他方、上述のようにして第１リール５１０とギア機構によって接続されている第２リール５２０は、第１リール５１０が回転するのに伴って第１リール５１０と同じ方向に回転して、粘着テープ片の対象面Ｓへの転写を終えたハーフカット両面テープ６００を巻き取る。
【符号の説明】
【００２１】
１００  貼付けテープ
１１０  製造用テープ
１２０  粘着テープ
１２１  基材テープ
１２２  粘着剤層
１２０Ｘ  粘着テープ片
２００  剥離テープ
３１０  第１送りリール
３２０  第１巻取りリール
３３０  支持台
３４０  ダイカットロール
３４１  本体部
３４２  刃部
４１０  第２送りリール
４２０  第２巻取りリール
５００  ケース
５１０  第１リール
５２０  第２リール
５３０  開口
５４０  転写ローラ
６００  ハーフカット両面テープ
【図１】
0006348350.tif 000002
【図２】
0006348350.tif 000003
【図３】
0006348350.tif 000004
【図４】
0006348350.tif 000005
【図５】
0006348350.tif 000006
【図６】
0006348350.tif 000007